(57)【要約】【課題】高速巻き時及び高負荷時の両方において確実に握持可能なつまみ部を備えるハンドル本体及び魚釣り用リールを提供すること。【解決手段】つまみ本体部５１のつまみ軸線Ｓ方向についてアーム部３５と反対側の外周面には、第２の軸線Ｔ２方向に平行な曲面である第１の曲面５５が設けられている。第１の曲面５５は、第１の軸線Ｔ１方向について、少なくともつまみ軸線Ｓと小寸法側の端部との中間位置からつまみ軸線Ｓと大寸法側の端部との中間位置までの範囲に渡って設けられていることが好ましい。第１の軸線Ｔ１方向について第１の曲面５５が設けられる範囲で第１の軸線Ｔ１に垂直に切断した断面では、第１の曲面５５は第２の軸線Ｔ２に平行な線分を構成する。すなわち、第１の曲面５５は、第１の軸線Ｔ１に垂直に切断した断面で線分を構成する線分構成曲面である。【選択図】図３
2011229458.tif 000002
【特許請求の範囲】
【請求項１】
一端がリール本体に取り付けられ、前記リール本体のハンドル軸線に垂直な方向に延設されるアーム部と、
前記アーム部の他端から前記ハンドル軸線に平行なつまみ軸線方向に延設されるつまみ連結部と、前記つまみ軸線方向について前記つまみ連結部の前記アーム部と反対側に設けられるつまみ本体部とを備え、前記アーム部に対して前記つまみ軸線の軸回り方向に回転可能に支持されるつまみ部と、
を具備し、
前記つまみ本体部は、
前記つまみ軸線に垂直な所定の方向である第１の軸線方向の寸法が、前記つまみ軸線方向の寸法、及び、前記つまみ軸線に垂直かつ前記第１の軸線に垂直な第２の軸線方向の寸法より大きく、
前記第１の軸線方向について前記つまみ軸線より一方側の寸法が、前記つまみ軸線より他方側の寸法より小さく、小寸法側の部分である小寸法側部及び大寸法側の部分である大寸法側部を備え、
前記第１の軸線に垂直に切断した断面積が、前記第１の軸線方向について前記つまみ軸線の位置で最大で、前記つまみ軸線から離れるにつれて小さくなり、
前記つまみ軸線方向について両方向、及び、前記第２の軸線方向について両方向から視て、前記第１の軸線方向について両端部が円弧状に形成され、
前記つまみ軸線方向について前記アーム部と反対側の外周面に、前記つまみ軸線から前記第１の軸線方向について両方向に所定の範囲に渡って設けられ、前記第１の軸線に垂直に切断した断面で線分を構成する線分構成曲面を備えることを特徴とする魚釣り用リールのハンドル本体。
【請求項２】
前記線分構成曲面は、前記第１の軸線方向について、少なくともつまみ軸線と前記つまみ本体部の前記小寸法側の端部との中間位置から、前記つまみ軸線と前記つまみ本体部の前記大寸法側の端部との中間位置までの範囲に渡って設けられていることを特徴とする請求項１に記載のハンドル本体。
【請求項３】
前記つまみ本体部では、前記第１の軸線方向について前記つまみ軸線より前記小寸法側の部位で前記第１の軸線に垂直に切断した断面の図心と、前記第１の軸線方向について前記つまみ軸線より前記大寸法側の部位で前記第１の軸線に垂直に切断した断面の図心とを結ぶ直線が、前記第１の軸線方向について前記小寸法側の部位が、前記第１の軸線方向について前記大寸法側の部位より前記つまみ軸線方向について前記アーム部側に位置する状態に、前記第１の軸線に対して傾斜していることを特徴とする請求項１及び請求項２のいずれか１に記載のハンドル本体。
【請求項４】
前記つまみ本体部では、前記第１の軸線に垂直に切断した断面で断面の図心と前記線分構成曲面が構成する前記線分の両端とを結ぶ直線が成す角度が、前記第１の軸線方向について前記大寸法側に向かって大きくなることを特徴とする請求項１乃至請求項３のいずれか１に記載のハンドル本体。
【請求項５】
前記つまみ本体部では、前記つまみ軸線方向について前記アーム部と反対側から視て、前記第１の軸線方向について前記小寸法側の端部の曲率半径が、前記第１の軸線方向について前記大寸法側の端部の曲率半径より大きいことを特徴とする請求項１乃至請求項４のいずれか１に記載のハンドル本体。
【請求項６】
請求項１乃至請求項５のいずれか１の前記ハンドル本体と、
前記ハンドル軸線に平行に設けられるスプール軸に支持されるスプールを備え、前記ハンドル本体の前記アーム部の前記一端が取り付けられる前記リール本体と、
を具備することを特徴とする魚釣り用リール。
【発明の詳細な説明】
【技術分野】
【０００１】
本発明は、魚釣り用リールのハンドル本体及びそのハンドル本体を備える魚釣り用リールに関する。
【背景技術】
【０００２】
一般に魚釣り用リールは、糸を巻き取るスプールが設けられたリール本体と、リール本体にハンドル軸を介して取付けられるハンドル本体とを備える。ハンドル本体は、一端がリール本体に取り付けられ、ハンドル軸に対して垂直な方向に延設されるアーム部と、アーム部の他端に取り付けられるつまみ部とを備える。魚釣り用リールを使用する際、釣り人はつまみ部を握持してハンドル本体を回転することにより、回転操作力がリール本体のスプールに伝達される。そして、スプールが回転することにより、スプールに糸が巻き取られる。仕掛け回収時等には、ハンドル本体の操作により糸が高速に巻かれることが望まれている。また、魚が掛かった高負荷時には、糸を巻き取るために十分な操作力でハンドル本体の操作を行うこと必要となる。このため、高負荷時に操作を行うために十分な力で握持可能で、握持した手が疲れ難いつまみ部の構成が望まれている。
【０００３】
特許文献１では、クランクアームに連結される連結部と、連結部のクランクアームと反対側に設けられるつまみ部とをそなえるハンドル把手が開示されている。このハンドル把手のつまみ部では、スプール軸に平行な第１の軸方向の寸法より、クランクアームに平行な第２の軸方向の寸法が大きくなっている。また、つまみ部では、第２の軸に垂直に切断した断面が略円形状に形成され、断面積は第２の軸方向について両端に向かうにつれて小さくなっている。また、第２の軸に垂直に切断した断面では、つまみ部の図心から第１の軸方向についてクランクアームから離れる方向の半径が、第１の軸方向についてクランクアームに向かう方向の半径より大きくなっている。さらに、第１の軸方向に垂直で、かつ、第２の軸方向に垂直な方向を第３の軸方向とすると、第２の軸に垂直に切断した断面では、つまみ部の図心から第３の軸方向の半径が、第１の軸方向についてクランクアームに向かう方向の半径より大きくなっている。このような構成にすることにより、高負荷時につまみ部を握持する際に、掌がつまみ部の外周面にフィットし易い。このため、高負荷時に操作を行うために十分な力で握持可能で、握持した手が疲れ難い。
【０００４】
特許文献２には、ハンドルアームの一端にハンドル軸と平行に固定されるシャフトと、シャフトに支持されるノブとが開示されている。このノブでは、ノブの軸線がシャフトの軸線に対して鋭角で傾斜しているため、ノブの軸線はハンドルアームが延設される方向と平行ではない。また、このノブでは、ノブの軸線方向についてシャフトの軸線より一方側の寸法が他方側の寸法より小さくなっている。ノブの軸線が傾斜しているため、寸法が小さい小寸法側が、寸法が大きい大寸法側よりハンドルアームに近くなっている。ノブの軸線に垂直な断面の断面積は、小寸法側から大寸法側に向かって漸次的に大きくなる。ノブの軸線を傾斜しているため、ノブを握持した際に、指がハンドルアームに衝突することが防止される。
【先行技術文献】
【特許文献】
【０００５】
【特許文献１】特許第３４９０９１４号公報
【特許文献２】特開２００４−１９４５６５号公報
【発明の概要】
【発明が解決しようとする課題】
【０００６】
上記特許文献１のハンドル把手では、高速巻き時等の手首の回転を利用して指の力を中心につまみ部を握持する際に、つまみ部に指がフィットし難い構成となっている。このため、高速巻き時において指が滑り易く、釣り人はつまみ部を握持し難い。
【０００７】
上記特許文献２のノブでは、ノブの軸に垂直な断面での断面積が小寸法側で小さくなっている。ノブの小寸法側の部分は、高負荷時に親指及び人差指で握持される。ノブの小寸法側の部位が相対的に小さいため、高負荷時にノブを握持する際に、親指及び人差指に握持する力が入り難い。このため、釣り人はつまみ部を握持し難い。
【０００８】
本発明は上記課題に着目してなされたものであり、その目的とするところは、高速巻き時及び高負荷時の両方において確実に握持可能なつまみ部を備えるハンドル本体及び魚釣り用リールを提供することにある。
【課題を解決するための手段】
【０００９】
上記目的を達成するため、本発明のハンドル本体は、一端がリール本体に取り付けられ、前記リール本体のハンドル軸線に垂直な方向に延設されるアーム部と、前記アーム部の他端から前記ハンドル軸線に平行なつまみ軸線方向に延設されるつまみ連結部と、前記つまみ軸線方向について前記つまみ連結部の前記アーム部と反対側に設けられるつまみ本体部とを備え、前記アーム部に対して前記つまみ軸線の軸回り方向に回転可能に支持されるつまみ部と、を具備し、前記つまみ本体部は、前記つまみ軸線に垂直な所定の方向である第１の軸線方向の寸法が、前記つまみ軸線方向の寸法、及び、前記つまみ軸線に垂直かつ前記第１の軸線に垂直な第２の軸線方向の寸法より大きく、前記第１の軸線方向について前記つまみ軸線より一方側の寸法が、前記つまみ軸線より他方側の寸法より小さく、小寸法側の部分である小寸法側部及び大寸法側の部分である大寸法側部を備え、前記第１の軸線に垂直に切断した断面積が、前記第１の軸線方向について前記つまみ軸線の位置で最大で、前記つまみ軸線から離れるにつれて小さくなり、前記つまみ軸線方向について両方向、及び、前記第２の軸線方向について両方向から視て、前記第１の軸線方向について両端部が円弧状に形成され、前記つまみ軸線方向について前記アーム部と反対側の外周面に、前記つまみ軸線から前記第１の軸線方向について両方向に所定の範囲に渡って設けられ、前記第１の軸線に垂直に切断した断面で線分を構成する線分構成曲面を備えることを特徴とする。
【００１０】
このハンドル本体では、前記線分構成曲面は、前記第１の軸線方向について、少なくともつまみ軸線と前記つまみ本体部の前記小寸法側の端部との中間位置から、前記つまみ軸線と前記つまみ本体部の前記大寸法側の端部との中間位置までの範囲に渡って設けられていることが好ましい。
【００１１】
また、前記つまみ本体部では、前記第１の軸線方向について前記つまみ軸線より前記小寸法側の部位で前記第１の軸線に垂直に切断した断面の図心と、前記第１の軸線方向について前記つまみ軸線より前記大寸法側の部位で前記第１の軸線に垂直に切断した断面の図心とを結ぶ直線が、前記第１の軸線方向について前記小寸法側の部位が、前記第１の軸線方向について前記大寸法側の部位より前記つまみ軸線方向について前記アーム部側に位置する状態に、前記第１の軸線に対して傾斜していることが好ましい。
【００１２】
また、前記つまみ本体部では、前記第１の軸線に垂直に切断した断面で断面の図心と前記線分構成曲面が構成する前記線分の両端とを結ぶ直線が成す角度が、前記第１の軸線方向について前記大寸法側に向かって大きくなることが好ましい。
【００１３】
さらに、前記つまみ本体部では、前記つまみ軸線方向について前記アーム部と反対側から視て、前記第１の軸線方向について前記小寸法側の端部の曲率半径が、前記第１の軸線方向について前記大寸法側の端部の曲率半径より大きいことが好ましい。
【００１４】
また、本発明の魚釣り用リールは、前述したハンドル本体と、前記ハンドル軸線に平行に設けられるスプール軸に支持されるスプールを備え、前記ハンドル本体の前記アーム部の前記一端が取り付けられる前記リール本体と、を具備することを特徴とする。
【発明の効果】
【００１５】
線分構成曲面を設けることにより、高速巻き時において、人差指及び薬指の指先を第１の軸線の軸回り方向についてつまみ本体部の線分構成曲面と反対側の部位まで回し易くなる。また、人差指、薬指及び掌が線分構成曲面及びつまみ本体部の線分構成曲面以外の外周面面にフィットし、人差指、薬指及び掌が滑り難くなる。これにより、高速巻きの際、釣り人はより確実につまみ本体部を握持することができる。また、線分構成曲面を設けることにより、高負荷時において、親指、人差指及び薬指の指先を第１の軸線の軸回り方向についてつまみ本体部の線分構成曲面と反対側の部位まで回し易くなる。また、親指、人差指、薬指及び掌が線分構成曲面及びつまみ本体部の線分構成曲面以外の外周面にフィットし、親指、人差指、薬指及び掌が滑り難くなる。これにより、高負荷時において、釣り人はより確実につまみ本体部を握持することができる。
【００１６】
また、線分構成曲面を第１の軸線方向について、少なくともつまみ軸線とつまみ本体部の小寸法側の端部との中間位置からつまみ軸線とつまみ本体部の大寸法側の端部との中間位置までの範囲に渡って設けることにより、高速巻きの際に、人差指の付け根と第２関節との間の部位を線分構成曲面に隙間なく密着させることができる。同様に、掌の薬指近傍の部位を線分構成曲面に隙間なく密着させることができる。また、このような構成にすることにより、高負荷時には、掌の親指の付け根と人差指の付け根との間の部位を線分構成曲面に隙間なく密着させることができる。同様に、掌の中央部から薬指近傍にかけての部位を線分構成曲面に隙間なく密着させることができる。
【００１７】
また、第１の軸線方向についてつまみ軸線より小寸法側の部位で第１の軸線に垂直に切断した断面の図心と、第１の軸線方向についてつまみ軸線より大寸法側の部位で第１の軸線に垂直に切断した断面の図心とを結ぶ直線が、第１の軸線に対して傾斜していることにより、高負荷時の手首が固定された状態でつまみ本体部を握持する際に、特に薬指、小指に力が入り易い。薬指、小指で強く握持されるため、釣り人は高負荷時においてより確実につまみ本体部を握持することができる。また、このような構成にすることにより、つまみ本体部を握持した際に、指のアーム部への衝突を防止することができる。
【００１８】
また、高負荷時においてつまみ本体部を握持する際、第１の軸線方向についてつまみ軸線より小寸法側の部位では掌の親指の付け根と人差指の付け根との間の部位が線分構成曲面に密着し、第１の軸線方向についてつまみ軸線より大寸法側の部位では掌の中央部から薬指近傍にかけての部位が線分構成曲面に密着する。掌の中央部から薬指近傍にかけての部位は、掌の親指の付け根と人差指の付け根との間の部位より表面積が大きい。このため、第１の軸線に垂直に切断した断面で断面の図心と線分構成曲面が構成する線分の両端とを結ぶ直線が成す角度が第１の軸線方向について大寸法側に向かって大きくなることにより、高負荷時においてつまみ本体部を握持する際に、掌が線分構成曲面により隙間がない状態で密着する。したがって、掌が線分構成曲面によりフィットし、高負荷時において、釣り人はより確実につまみ本体部を握持することができる。
【００１９】
さらに、高速巻き時及び高負荷時いずれの場合においても、第１の軸線方向についてつまみ本体部の小寸法側の部位は、親指、人差指又は掌の親指の付け根と人差指の付け根との間の部位で握持される。また、第１の軸線方向についてつまみ本体部の大寸法側の部位は、小指又は掌の中央部から小指の付け根近傍にかけての部位で握持される。この際、つまみ本体部の小寸法側の端部の曲率半径を大寸法側の短部の曲率半径より大きくすることにより、つまみ本体部を握持する力を入り易くすることができる。また、つまみ本体部を握持し直す際に、指及び掌を移動し易くすることができる。
【図面の簡単な説明】
【００２０】
【図１】本発明の第１の実施形態に係る魚釣り用リールを一部断面で示す正面図。
【図２】第１の実施形態に係るハンドル本体を一部断面で示す正面図。
【図３】第１の実施形態に係るハンドル本体のつまみ部の平面図。
【図４】第１の実施形態に係るハンドル本体のつまみ部の正面図。
【図５】第１の実施形態に係るハンドル本体のつまみ部をアーム部と反対側から視た側面図。
【図６】図４のＶＩ−ＶＩ線断面図。
【図７】図４のＶＩＩ−ＶＩＩ線断面図。
【図８】図４のＶＩＩＩ−ＶＩＩＩ線断面図。
【図９】図４のＩＸ−ＩＸ線断面図。
【図１０】図４のＸ−Ｘ線断面図。
【図１１】第１の実施形態に係るハンドル本体の、高速巻き時に釣り人がつまみ部のつまみ本体部の小寸法側の部分を握る状態を示す概略図。
【図１２】第１の実施形態に係るハンドル本体の、高速巻き時に釣り人がつまみ部のつまみ本体部の大寸法側の部分を握る状態を示す概略図。
【図１３】第１の実施形態に係るハンドル本体の、高負荷時に釣り人がつまみ部のつまみ本体部の小寸法側の部分を握る状態を示す概略図。
【図１４】第１の実施形態に係るハンドル本体の、高負荷時に釣り人がつまみ部のつまみ本体部の大寸法側の部分を握る状態を示す概略図。
【図１５】本発明の第２の実施形態に係るハンドル本体のつまみ部の平面図。
【図１６】第２の実施形態に係るハンドル本体のつまみ部の正面図。
【図１７】第２の実施形態に係るハンドル本体のつまみ部をアーム部と反対側から視た側面図。
【図１８】図１６の１８−１８線断面図。
【図１９】図１６の１９−１９線断面図。
【図２０】図１６の２０−２０線断面図。
【発明を実施するための形態】
【００２１】
（第１の実施形態）  
本発明の第１の実施形態について図１乃至図１４を参照して説明する。図１は、本実施形態の魚釣り用リール１を示す図である。図１に示すように、魚釣り用リール１は、リール本体２と、リール本体２に取り付けられるハンドル本体３とを備える。
【００２２】
リール本体２は、本体部材であるフレーム１０と、フレーム１０の左右両側面に取付けられる蓋部材である外側板１５Ａ，１５Ｂとを備える。フレーム１０及び外側板１５Ａ，１５Ｂは金属製であり、外側板１５Ａ，１５Ｂは左右方向からみて略円形状に形成されている。右側外側板１５Ｂには、右方向に突出する突出部１８が設けられている。フレーム１０は左右一対の側枠１１Ａ，１１Ｂと、側枠１１Ａ，１１Ｂの間を連結する複数の連結部１３とを備える。側枠１１Ａ，１１Ｂ及び連結部１３は、金属部材から一体に形成され、リール本体に大きな負荷が作用した場合でも、変形し難い構成となっている。フレーム５の連結部１３には、魚釣り用リール１を釣竿（図示しない）に固定するためのリール取付け脚１４が装着されている。なお、本以下の説明でで、左右方向は、図１中での左右方向とする。
【００２３】
側枠１１Ａ，１１Ｂの間には、スプール１６が回転可能に支持されている。スプール１６は、側枠１１Ａ，１１Ｂを貫通するスプール軸１７により支持されている。スプール軸１７は、軸受け１９Ａ，１９Ｂによりスプール１６と一体に軸回り方向に回転可能に支持されている。
【００２４】
右側側枠１１Ｂ及び右側外側板１５Ｂの内部には、ハンドル本体３での操作によりスプール１６を回転駆動する回転伝達機構２０が設けられている。また、右側側枠１１Ｂ及び右側外側板１５Ｂの内部には、回転伝達機構２０の他にも、後述するクラッチ機構３０、回転制御機構３１等の各種部材が設けられている。
【００２５】
スプール軸１７の右側には、ピニオン軸２１がスプール軸１７と一体に形成されるか、又は、スプール軸１７に連結されている。ピニオン軸２１は、軸受け１９Ｂ，２２により支持されている。ピニオン軸２１には、ピニオンギア２３がピニオン軸２１の軸回り方向に回転可能に支持されている。ピニオンギア２３は、ピニオン軸２１の軸方向に移動可能である。また、右側外側板１５Ｂには、クラッチレバー２５が取り付けられている。クラッチレバー２５の操作によりピニオンギア２３は、スプール軸１７と係合してスプール軸１７と一体に回転する係合位置と、スプール軸１７との係合が解除された非係合位置との間で、ピニオン軸２１の軸方向に移動する。ピニオンギア２３がスプール軸１７と係合した状態では、ハンドル本体３での操作によりスプール１６が釣り糸を巻き取る方向に回転する（クラッチＯＮ状態）。ピニオンギア２３のスプール軸１７との係合が解除された状態では、ハンドル本体３での操作と関係なくスプール１６が自由に回転可能となっている（クラッチＯＦＦ状態）。以上のようにして、クラッチＯＮ状態とクラッチＯＦＦ状態との間でピニオンギア２３を移動させるクラッチ機構３０が構成されている。
【００２６】
また、右側側枠１１Ｂ及び右側外側板１５Ｂの内部には、ハンドル軸２７がスプール軸１７と平行に配置されている。ハンドル軸２７は、軸受け２８Ａ，２８Ｂにより軸回り方向に回転可能に支持されている。ハンドル軸２７の右側端部は、リール本体２から右方向に突出している。ハンドル軸２７の右側端部には、締付けナット２９によりハンドル本体３が取り付けられている。また、ハンドル軸２７には、ドライブギア２６がハンドル軸２７と一体に軸回り方向に回転可能に取付けられている。ドライブギア２６は、ピニオンギア２３と噛合している。クラッチＯＮ状態でハンドル本体３を一方の方向に回転すると、ハンドル本体３での駆動力により、ドライブギア２６が回転する。ドライブギア２６が回転することにより、ピニオンギア２３及びスプール軸１７が回転し、スプール１６が釣り糸を巻き取る方向に回転する。以上のようにして、回転伝達機構２０が構成されている。
【００２７】
また、魚釣り用リール１では、ピニオンギア２３からドライブギア２６にトルクが逆に伝達される際に、回転制御機構３１によりトルクを規制する。回転制御機構３１は、ハンドル軸２７を釣り糸が巻き取られる方向にのみ回転する状態に規制するローラ式の一方向クラッチ機構（図示しない）と、ハンドル軸２７を釣り糸ら巻き取られる方向にのみ回転する状態に規制する爪式のラチェット機構（図示しない）と、スプール１６の糸を繰り出す方向の回転に対し制動力を作用させるドラグ機構３３とを備える。ここで、ラチェット機構では、ラチェット爪がラチェット歯車と噛合する状態と噛合しない状態との間の動作にある程度の時間を要する。このため、ハンドル軸２７の釣り糸を繰り出す方向への回転の規制は、低トルク時には一方向クラッチ機構により迅速に行われ、高トルク時にラチェット機構により行われることが好ましい。
【００２８】
ドラグ機構３３は、ハンドル軸２７に取り付けられるドラグノブ３３Ａを備える。ドラグノブ３３Ａは、右側外側板１５Ｂの突出部１８とハンドル本体３との間に配置されている。ハンドル軸２７に対してドラグノブ３３Ａを回転させることにより、ハンドル軸２７に対するドライブギア２６の摩擦結合力が変化する。これにより、スプール１６の糸を繰り出す方向の回転に対する制動力であるドラグ力が設定される。魚の引きが弱く、釣り糸を繰り出す方向へのスプール１６を回転する力がドラグ力より小さい場合は、スプール１６が糸を繰り出す方向に回転しない。魚の引きが強くなり、釣り糸を繰り出す方向へのスプール１６を回転する力がドラグ力より大きくなる場合は、ドライブギア２６がドラグ力に抗して回転し、スプール１６が釣り糸を繰り出す方向に回転する。この際、スプール１６にはドラグ機構３３により一定のドラグ力が作用している。
【００２９】
なお、右側側枠１１Ｂ及び右側外側板１５Ｂの内部には、レベルワインド機構（図示しない）の動力伝達部が設けられてもよい。レベルワインド機構により、釣り糸を巻き取る際にスプール１６に釣り糸を均等に巻回される。
【００３０】
図１に示すように、ハンドル本体３はハンドル軸２７に一端が取り付けられるアーム部３５を備える。アーム部３５は、スプール軸線Ｃ及びハンドル軸線Ｃ´に直交するアーム部軸線Ｌに沿って延設されている。アーム部３５の他端部には、つまみ軸３６を介してつまみ部４０が取り付けられている。
【００３１】
図２は、ハンドル本体３の構成を示す図である。図２に示すように、つまみ軸３６は、カシメ３６Ａを介して固定状態に取り付けられている。つまみ軸３６は、アーム部軸線Ｌに垂直で、かつ、スプール軸線Ｃ及びハンドル軸線Ｃ´に平行なつまみ軸線Ｓに沿って延設されている。つまみ軸３６の外周面には、筒状体３７が配置されている。つまみ部４０は、筒状体３７の外周面に固定状態で取り付けられている。筒状体３７及びつまみ部４０は、固定ナット３８及び軸受け３９Ａ，３９Ｂにより、つまみ軸３６の軸回り方向に回転可能に支持されている。すなわち、つまみ部４０は、アーム部３５に対してつまみ軸線Ｓの軸回り方向に回転可能となっている。
【００３２】
つまみ部４０は、内側部材４１と、内側部材４１の外周面に被覆される外装カバー４３とを備える。内側部材４１は、硬性の合成樹脂等から形成されている。内側部材４１には、つまみ軸線Ｓに沿って貫通孔４５が設けられている。貫通孔４５の内部に、つまみ軸３６及び筒状体３７が配置されている。外装カバー４３は、内側部材４１よりも軟性の合成樹脂等から形成され、弾性を有する。外装カバー４３は、固定ネジ４７Ａ，４７Ｂにより内側部材４１に固定状態で取り付けられる。
【００３３】
図３乃至図１０は、つまみ部４０の構成を示す図である。図３に示すように、つまみ部４０は、つまみ本体部５１と、つまみ本体部５１からアーム部３５側に突設されるつまみ連結部５３とを備える。つまみ連結部５３は、つまみ軸線Ｓに沿って延設され、つまみ軸３６及び筒状体３７の外周側に配置されている。
【００３４】
図４に示すように、つまみ本体部５１では、つまみ軸線Ｓに垂直な所定の方向である第１の軸線Ｔ１方向の寸法Ａ１が、つまみ軸線Ｓ方向の寸法Ａ０より大きくなっている。なお、図４では説明の都合上、第１の軸線Ｔ１方向は、つまみ軸線Ｓに垂直で、かつ、アーム部軸線Ｌに平行な方向とする。また、図５に示すように、つまみ本体部５１では、第１の軸線Ｔ１方向の寸法Ａ１が、つまみ軸線Ｓに垂直で、かつ、第１の軸線Ｔ１に垂直な第２の軸線Ｔ２方向の寸法Ａ２より大きくなっている。ここで、つまみ本体部５１の第１の軸線Ｔ１方向の寸法Ａ１は、４５ｍｍ〜９０ｍｍであることが好ましく、６５ｍｍ程度であることがより好ましい。また、つまみ本体部５１の第２の軸線Ｔ２方向の寸法Ａ２は、２５ｍｍ〜４５ｍｍであることが好ましく、３６．５ｍｍ程度であることがより好ましい。
【００３５】
つまみ本体部５１では、第１の軸線Ｔ１方向について、つまみ軸線Ｓより一方側の寸法Ｂ１が、つまみ軸線Ｓより他方側の寸法Ｂ２より小さくなっている。ここで、第１の軸線Ｔ１方向について、つまみ軸線Ｓからの寸法が小さい側を小寸法側、つまみ軸線Ｓからの寸法が大きい側を大寸法側とする。すなわち、つまみ本体部５１は、第１の軸線Ｔ１方向について、つまみ軸線Ｓより一方側の小寸法側部５２Ａと、つまみ軸線Ｓより他方側の大寸法部５２Ｂとを備える。なお、つまみ本体部５１の第１の軸線Ｔ１方向の寸法Ａ１を６５ｍｍとすると、寸法Ｂ１が２８ｍｍ程度で、寸法Ｂ２が３７ｍｍ程度であることが好ましい。また、つまみ本体部５１では、第１の軸線Ｔ１に垂直に切断した断面積が、第１の軸線Ｔ１方向についてつまみ軸線Ｓの位置で最大となり、つまみ軸線Ｓから離れるにつれて小さくなる。
【００３６】
図３に示すように、つまみ本体部５１のつまみ軸線Ｓ方向についてアーム部３５と反対側の外周面には、第２の軸線Ｔ２方向に平行な曲面である第１の曲面５５が設けられている。第１の曲面５５は、つまみ軸線Ｓから第１の軸線Ｔ１方向について両方向に所定の範囲に渡って設けられている。ただし、本実施形態のように、第１の曲面５５は、第１の軸線Ｔ１方向について、少なくともつまみ軸線Ｓと小寸法側の端部との中間位置からつまみ軸線Ｓと大寸法側の端部との中間位置までの範囲に渡って設けられていることが好ましい。
【００３７】
第１の曲面５５が第２の軸線Ｔ２に平行であるため、図７に示すように、第１の軸線Ｔ１方向についてつまみ軸線Ｓの位置で第１の軸線Ｔ１に垂直に切断した断面では、第１の曲面５５は第２の軸線Ｔ２からのつまみ軸線Ｓ方向の距離Ｄ１の線分を構成する。また、図６に示すように、第１の軸線Ｔ１方向についてつまみ軸線Ｓとつまみ本体部５１の小寸法側の端部との中間位置で第１の軸線Ｔ１に垂直に切断した断面では、第１の曲面５５は第２の軸線Ｔ２からのつまみ軸線Ｓ方向の距離Ｄ２の線分を構成する。同様に、図８に示すように、第１の軸線Ｔ１方向についてつまみ軸線Ｓとつまみ本体部５１の大寸法側の端部との中間位置で第１の軸線Ｔ１に垂直に切断した断面では、第１の曲面５５は第２の軸線Ｔ２からのつまみ軸線Ｓ方向の距離Ｄ３の線分を構成する。ここで、前述のようにつまみ本体部５１を第１の軸線Ｔ１に垂直に切断した断面積が第１の軸線Ｔ１方向についてつまみ軸線Ｓから離れるにつれて小さくなるため、距離Ｄ２及び距離Ｄ３は距離Ｄ１より小さくなっている。
【００３８】
また、つまみ本体部５１の外周面の第１の曲面５５以外の部分は第２の軸線Ｔ２と平行でない第２の曲面５７となっている。第１の曲面５５と第２の曲面５７との間には、角部５９が形成されている。
【００３９】
図７に示すように、第１の軸線Ｔ１方向についてつまみ軸線Ｓの位置で第１の軸線Ｔ１に垂直に切断した断面では、第２の曲面５７は断面の図心Ｏ１を中心として曲率半径Ｒ１の円弧を構成する。また、図６に示すように、第１の軸線Ｔ１方向についてつまみ軸線Ｓと小寸法側の端部との中間位置で第１の軸線Ｔ１に垂直に切断した断面では、第２の曲面５７は断面の図心Ｏ２を中心として曲率半径Ｒ２の円弧を構成する。同様に、図８に示すように、第１の軸線Ｔ１方向についてつまみ軸線Ｓと大寸法側の端部との中間位置で第１の軸線Ｔ１に垂直に切断した断面では、第２の曲面５７は断面の図心Ｏ３を中心として曲率半径Ｒ３の円弧を構成する。ここで、前述のようにつまみ本体部５１を第１の軸線Ｔ１に垂直に切断した断面積が第１の軸線Ｔ１方向についてつまみ軸線Ｓから離れるにつれて小さくなるため、曲率半径Ｒ２及び曲率半径Ｒ３は曲率半径Ｒ１より小さくなっている。本実施形態では、曲率半径Ｒ１が１８．４ｍｍ程度、曲率半径Ｒ２が１６．６ｍｍ程度、曲率半径Ｒ３が１７．３ｍｍ程度であることが好ましい。
【００４０】
以上のように、第１の軸線Ｔ１方向について第１の曲面５５が設けられる範囲で第１の軸線Ｔ１に垂直に切断した断面では、第１の曲面５５は第２の軸線Ｔ２に平行な線分を構成する。すなわち、第１の曲面５５は、第１の軸線Ｔ１に垂直に切断した断面で線分を構成する線分構成曲面である。また、この断面では、つまみ本体部５１の外周面の第１の曲面５５以外の部分である第２の曲面５７は、断面の図心を中心として円弧を構成する。すなわち、第２の曲面５７は、第１の軸線Ｔ１に垂直に切断した断面で断面の図心を中心として円弧を構成する円弧構成曲面である。
【００４１】
図９に示すように、第１の軸線Ｔ１方向について第１の曲面５５の小寸法側の端部よりつまみ軸線Ｓから離れる側の部位で第１の軸線Ｔ１に垂直に切断した断面では、線分は構成されない。同様に、図１０に示すように、第１の軸線Ｔ１方向について第１の曲面５５の大寸法側の端部よりつまみ軸線Ｓから離れる側の部位で第１の軸線Ｔ１に垂直に切断した断面では、線分は構成されない。すなわち、第１の軸線Ｔ１方向について第１の曲面５５の両端部よりつまみ軸線Ｓから離れる側の部位で第１の軸線Ｔ１に垂直に切断した断面では、第２の軸線Ｔ２に平行な線分を構成しない略円形状の断面形状となる。なお、図９及び図１０の断面での断面形状は、真円形状であることが好ましい。
【００４２】
また、図５に示すように、つまみ軸線Ｓ方向についてアーム部３５と反対側から視て、第１の軸線Ｔ１方向についてつまみ本体部５１の両端部は円弧状に形成されている。同様に、つまみ軸線Ｓ方向についてアーム部３５側から視て、第１の軸線Ｔ１方向についてつまみ本体部５１の両端部は円弧状に形成されている。すなわち、つまみ軸線Ｓ方向について両方向から視て、第１の軸線Ｔ１方向についてつまみ本体部５１の両端部は円弧状に形成されている。また、図４に示すように、第２の軸線Ｔ２方向について図３の矢印Ｉ側から視て、第１の軸線Ｔ１方向についてつまみ本体部５１の両端部は円弧状に形成されている。このことは、第２の軸線Ｔ２方向について図３の矢印Ｉと反対側から視る場合も同様である。すなわち、第２の軸線Ｔ２方向について両方向から視て、第１の軸線Ｔ１方向についてつまみ本体部５１の両端部は円弧状に形成されている。
【００４３】
図１１及び図１２は、仕掛け回収時、低負荷時等の高速巻きの際に、釣り人がつまみ部４０を握る状態を示す図である。前述のように、つまみ部４０のつまみ本体部５１は、第１の軸線Ｔ１方向について、つまみ軸線Ｓより一方側の寸法Ｂ１が、つまみ軸線Ｓよりリール本体２と他方側の寸法Ｂ２より小さくなっている。このため、図１１及び図１２に示すように、つまみ本体部５１の第１の軸線Ｔ１方向についてつまみ軸線Ｓより小寸法側の部位を親指６０Ａ及び人差指６０Ｂで確実に挟持し、つまみ軸線Ｓより大寸法側の部位を薬指６０Ｄ及び小指６０Ｅで確実に握持することができる。
【００４４】
また、高速巻き時には大きい操作力で糸を巻き取る必要がないため、図１１及び図１２に示すように、掌はつまみ本体部５１とほとんど接触せず、指の力を中心につまみ本体部５１を握持する。したがって、手首の回転を利用可能な状態でつまみ本体部５１が握持される。この際、第１の軸線Ｔ１方向についてつまみ軸線Ｓより小寸法側の部位では、人差指６０Ｂの付け根と第２関節との間の部位が第１の曲面５５に隙間なく密着する。このため、人差指６０Ｂの第２関節より指先側の部分が、つまみ本体部５１の第２の曲面５７に沿う状態で配置される。したがって、釣り人は人差指６０Ｂの指先を第１の軸線Ｔ１の軸回り方向についてつまみ本体部５１の第１の曲面５５と反対側の部位まで回し易い（図１１の矢印Ｇ１）。また、つまみ本体部５１では、第１の曲面５５と第２の曲面５７との間の角部５９に、人差指６０Ｂが引っ掛かり易い。このため、人差指６０Ｂが第１の曲面５５及び第２の曲面５７にフィットし、人差指６０Ｂが滑り難くなる。
【００４５】
また、高速巻きの際、第１の軸線Ｔ１方向についてつまみ軸線Ｓより大寸法側の部位では、掌の薬指６０Ｄ近傍の部位が第１の曲面５５に隙間なく密着する。このため、薬指６０Ｄが、つまみ本体部５１の第２の曲面５７に沿う状態で配置される。したがって、釣り人は薬指６０Ｄの指先を第１の軸線Ｔ１の軸回り方向についてつまみ本体部５１の第１の曲面５５と反対側の部位まで回し易い（図１２の矢印Ｇ２）。また、つまみ本体部５１では、第１の曲面５５と第２の曲面５７との間の角部５９に、薬指６０Ｄが引っ掛かり易い。このため、薬指６０Ｄ及び掌が第１の曲面５５及び第２の曲面５７にフィットし、薬指６０Ｄが滑り難くなる。
【００４６】
以上のように、第１の曲面５５を設けることにより、人差指６０Ｂ及び薬指６０Ｄの指先を第１の軸線Ｔ１の軸回り方向についてつまみ本体部５１の第１の曲面５５と反対側の部位まで回し易くなる。また、人差指６０Ｂ、薬指６０Ｄ及び掌が第１の曲面５５及び第２の曲面５７にフィットし、人差指６０Ｂ、薬指６０Ｄ及び掌が滑り難くなる。これにより、高速巻きの際、釣り人はより確実につまみ本体部５１を握持することができる。
【００４７】
また、第１の曲面５５は、第１の軸線Ｔ１方向について、少なくともつまみ軸線Ｓとつまみ本体部５１の小寸法側の端部との中間位置からつまみ軸線Ｓとつまみ本体部５１の大寸法側の端部との中間位置までの範囲に渡って設けられている。このため、高速巻きの際に、人差指６０Ｂの付け根と第２関節との間の部位を第１の曲面５５に隙間なく密着させることができる。同様に、掌の薬指６０Ｄ近傍の部位を第１の曲面５５に隙間なく密着させることができる。
【００４８】
図１３及び図１４は、魚の引きが強い高負荷時に、釣り人がつまみ部４０を握る状態を示す図である。高負荷時には糸を巻き取るために十分な操作力で操作を行う必要があるため、図１３及び図１４に示すように、手全体でつまみ本体部５１を包み込む状態でつまみ本体部５１を握持する。すなわち、掌及び指の力により、手首が固定された状態でつまみ本体部５１を握持する。この際、第１の軸線Ｔ１方向についてつまみ軸線Ｓより小寸法側の部位では、掌の親指６０Ａの付け根と人差指６０Ｂの付け根との間の部位が第１の曲面５５に隙間なく密着する。このため、親指６０Ａ及び人差指６０Ｂが、つまみ本体部５１の第２の曲面５７に沿う状態で配置される。したがって、釣り人は親指６０Ａ及び人差指６０Ｂの指先を第１の軸線Ｔ１の軸回り方向についてつまみ本体部５１の第１の曲面５５と反対側の部位まで回し易い（図１３の矢印Ｈ１）。また、つまみ本体部５１では、第１の曲面５５と第２の曲面５７との間の角部５９に、人差指６０Ｂ及び掌の親指６０Ａの付け根と人差指６０Ｂの付け根との間の部位が引っ掛かり易い。このため、親指６０Ａ、人差指６０Ｂ及び掌が第１の曲面５５及び第２の曲面５７にフィットし、親指６０Ａ、人差指６０Ｂ及び掌が滑り難くなる。
【００４９】
また、高負荷時において、第１の軸線Ｔ１方向についてつまみ軸線Ｓより大寸法側の部位では、掌の中央部から薬指６０Ｄ近傍にかけての部位が第１の曲面５５に隙間なく密着する。このため、薬指６０Ｄが、つまみ本体部５１の第２の曲面５７に沿う状態で配置される。したがって、釣り人は薬指６０Ｄの指先を第１の軸線Ｔ１の軸回り方向についてつまみ本体部５１の第１の曲面５５と反対側の部位まで回し易い（図１４の矢印Ｈ２）。また、つまみ本体部５１では、第１の曲面５５と第２の曲面５７との間の角部５９に、薬指６０Ｄが引っ掛かり易い。このため、薬指６０Ｄ及び掌が第１の曲面５５及び第２の曲面５７にフィットし、薬指６０Ｄ及び掌が滑り難くなる。
【００５０】
以上のように、第１の曲面５５を設けることにより、親指６０Ａ、人差指６０Ｂ及び薬指６０Ｄの指先を第１の軸線Ｔ１の軸回り方向についてつまみ本体部５１の第１の曲面５５と反対側の部位まで回し易くなる。また、親指６０Ａ、人差指６０Ｂ、薬指６０Ｄ及び掌が第１の曲面５５及び第２の曲面５７にフィットし、親指６０Ａ、人差指６０Ｂ、薬指６０Ｄ及び掌が滑り難くなる。これにより、高負荷時において、釣り人はより確実につまみ本体部５１を握持することができる。
【００５１】
また、第１の曲面５５は、第１の軸線Ｔ１方向について、少なくともつまみ軸線Ｓとつまみ本体部５１の小寸法側の端部との中間位置からつまみ軸線Ｓとつまみ本体部５１の大寸法側の端部との中間位置までの範囲に渡って設けられている。このため、高負荷時には、掌の親指６０Ａの付け根と人差指６０Ｂの付け根との間の部位を第１の曲面５５に隙間なく密着させることができる。同様に、掌の中央部から薬指６０Ｄ近傍にかけての部位を第１の曲面５５に隙間なく密着させることができる。
【００５２】
図４に示すように、つまみ本体部５１では、第１の軸線Ｔ１方向についてつまみ軸線Ｓと小寸法側の端部との中間位置で第１の軸線Ｔ１に垂直に切断した断面の図心Ｏ２と、第１の軸線Ｔ１方向についてつまみ軸線Ｓと大寸法側の端部との中間位置で第１の軸線Ｔ１に垂直に切断した断面の図心Ｏ３とを結ぶ直線Ｘが、第１の軸線Ｔ１に対して角度φだけ傾斜している。直線Ｘが第１の軸線Ｔ１に対して傾斜することにより、第１の軸線Ｔ１方向について小寸法側の部位が、第１の軸線Ｔ１方向について大寸法側の部位よりつまみ軸線Ｓ方向についてアーム部３５側に位置する。ここで、角度φは、２°程度であることが好ましい。すなわち、つまみ本体部５１では、第１の軸線Ｔ１方向についてつまみ軸線Ｓより小寸法側の部位で第１の軸線Ｔ１に垂直に切断した断面の図心と、第１の軸線Ｔ１方向についてつまみ軸線Ｓより大寸法側の部位で第１の軸線Ｔ１に垂直に切断した断面の図心とを結ぶ直線Ｘが、第１の軸線Ｔ１方向について小寸法側の部位が、第１の軸線Ｔ１方向について大寸法側の部位よりつまみ軸線Ｓ方向についてアーム部３５側に位置する状態に、第１の軸線Ｔ１に対して傾斜している。
【００５３】
このような構成にすることにより、高負荷時の手首が固定された状態でつまみ本体部５１を握持する際に、特に薬指６０Ｄ、小指６０Ｅに力が入り易い。薬指６０Ｄ、小指６０Ｅで強く握持されるため、釣り人は高負荷時においてより確実につまみ本体部５１を握持することができる。また、直線Ｘが第１の軸線Ｔ１に対して傾斜することにより、つまみ本体部５１を握持した際に、指のアーム部３５への衝突を防止することができる。
【００５４】
図７に示すように、第１の軸線Ｔ１方向についてつまみ軸線Ｓの位置で第１の軸線Ｔ１に垂直に切断した断面では、断面の図心Ｏ１と第１の曲面５５が構成する線分の両端とを結ぶ直線が成すが角度θ１となっている。また、第１の曲面５５が構成する線分は、寸法Ｕ１となっている。ここで、角度θ１は４９°程度であることが好ましく、寸法Ｕ１は１６．７ｍｍ程度であることが好ましい。
【００５５】
図６に示すように、第１の軸線Ｔ１方向についてつまみ軸線Ｓと小寸法側の端部との中間位置で第１の軸線Ｔ１に垂直に切断した断面では、断面の図心Ｏ２と第１の曲面５５が構成する線分の両端とを結ぶ直線が成すが角度θ２となっている。また、第１の曲面５５が構成する線分は、寸法Ｕ２となっている。図８に示すように、第１の軸線Ｔ１方向についてつまみ軸線Ｓと大寸法側の端部との中間位置で第１の軸線Ｔ１に垂直に切断した断面では、断面の図心Ｏ３と第１の曲面５５が構成する線分の両端とを結ぶ直線が成すが角度θ３となっている。また、第１の曲面５５が構成する線分は、寸法Ｕ３となっている。
【００５６】
角度θ２は角度θ１より小さく、角度θ３は角度θ１より大きい。すなわち、第１の軸線Ｔ１に垂直に切断した断面で断面の図心と第１の曲面５５が構成する線分の両端とを結ぶ直線が成す角度は、第１の軸線Ｔ１方向について大寸法側に向かって大きくなる。ここで、角度θ２は２５°〜５５°であることが好ましく、４８°程度であることがより好ましい。また、角度θ３は３５°〜７０°であることが好ましく、５３°程度であることがより好ましい。
【００５７】
高負荷時においてつまみ本体部５１を握持する際、第１の軸線Ｔ１方向についてつまみ軸線Ｓより小寸法側の部位では掌の親指６０Ａの付け根と人差指６０Ｂの付け根との間の部位が第１の曲面５５に密着し、第１の軸線Ｔ１方向についてつまみ軸線Ｓより大寸法側の部位では掌の中央部から薬指６０Ｄ近傍にかけての部位が第１の曲面５５に密着する。掌の中央部から薬指６０Ｄ近傍にかけての部位は、掌の親指６０Ａの付け根と人差指６０Ｂの付け根との間の部位より表面積が大きい。このため、第１の軸線Ｔ１に垂直に切断した断面で断面の図心と第１の曲面５５が構成する線分の両端とを結ぶ直線が成す角度が第１の軸線Ｔ１方向について大寸法側に向かって大きくなることにより、高負荷時においてつまみ本体部５１を握持する際に、掌が第１の曲面５５により隙間がない状態で密着する。したがって、掌が第１の曲面５５によりフィットし、高負荷時において、釣り人はより確実につまみ本体部５１を握持することができる。
【００５８】
また、寸法Ｕ３は寸法Ｕ２より大きいことが好ましい。これにより、高負荷時においてつまみ本体部５１を握持する際に、掌が第１の曲面５５によりフィットし、釣り人はより確実につまみ本体部５１を握持することができる。ここで、寸法Ｕ２は１４．１ｍｍ程度であることが好ましく、寸法Ｕ３は１６．３ｍｍ程度であることが好ましい。
【００５９】
図５に示すように、つまみ軸線Ｓ方向についてアーム部３５と反対側から視て、第１の軸線Ｔ１方向についてつまみ本体部５１の小寸法側の端部は、曲率半径ｒ１の円弧状に形成されている。また、つまみ軸線Ｓ方向についてアーム部３５と反対側から視て、第１の軸線Ｔ１方向についてつまみ本体部５１の大寸法側の端部は、曲率半径ｒ２の円弧状に形成されている。ここで、曲率半径ｒ１は曲率半径ｒ２より大きくなっている。
【００６０】
高速巻き時及び高負荷時いずれの場合においても、第１の軸線Ｔ１方向についてつまみ本体部５１の小寸法側の部位は、親指６０Ａ、人差指６０Ｂ又は掌の親指６０Ａの付け根と人差指６０Ｂの付け根との間の部位で握持される。また、第１の軸線Ｔ１方向についてつまみ本体部５１の大寸法側の部位は、小指６０Ｅ又は掌の中央部から小指６０Ｅの付け根近傍にかけての部位で握持される。この際、つまみ本体部５１の曲率半径ｒ１を曲率半径ｒ２より大きくすることにより、つまみ本体部５１を握持する力を入り易くすることができる。また、つまみ本体部５１を握持し直す際に、指及び掌を移動し易くすることができる。
【００６１】
また、図４に示すように、第２の軸線Ｔ２方向について図３の矢印Ｉ側から視て、第１の軸線Ｔ１方向についてつまみ本体部５１の小寸法側の端部は、曲率半径ｒ´１の円弧状に形成されている。また、第２の軸線Ｔ２方向について図３の矢印Ｉ側から視て、第１の軸線Ｔ１方向についてつまみ本体部５１の大寸法側の端部は、曲率半径ｒ´２の円弧状に形成されている。ここで、曲率半径ｒ´１は曲率半径ｒ´２より大きいことが好ましい。例えば、曲率半径ｒ´１が１５ｍｍ程度であり、曲率半径ｒ´２が１３ｍｍ程度である。これにより、つまみ本体部５１を握持する力を入り易くすることができる。また、つまみ本体部５１を握持し直す際に、指及び掌を移動し易くすることができる。
【００６２】
また、つまみ本体部５１では、第１の軸線Ｔ１方向について第１の曲面５５が設けられていない領域（第１の軸線方向について両端部）では、第２の曲面５７が、球の外周面を構成する曲面と同様の形状に形成されることが好ましい。これにより、つまみ本体部５１を握持する力を入り易くすることができる。また、つまみ本体部５１を握持し直す際に、指及び掌を移動し易くすることができる。
【００６３】
（第２の実施形態）  
次に、本発明の第２の実施形態について図１５乃至図２０を参照して説明する。なお、第１の実施形態と同一の部分及び同一の機能を有する部分については同一の符号を付して、その説明は省略する。
【００６４】
図１５乃至図２０は、本実施形態のつまみ部７０の構成を示す図である。図１５及び図１６に示すように、つまみ部７０は、つまみ本体部７１と、つまみ連結部５３とを備える。つまみ本体部７１のつまみ軸線Ｓ方向についてアーム部３５と反対側の外周面には、第１の実施形態と同様に、第１の曲面７５が設けられている。図１８乃至図２０に示すように、第１の軸線Ｔ１方向について第１の曲面７５が設けられる範囲で第１の軸線Ｔ１に垂直に切断した断面では、第１の曲面７５は線分を構成する。すなわち、第１の曲面７５は、第１の軸線Ｔ１に垂直に切断した断面で線分を構成する線分構成曲面である。また、この断面では、つまみ本体部７１の外周面の第１の曲面７５以外の部分である第２の曲面７７は、第１の実施形態と同様に、断面の図心を中心として円弧を構成する。すなわち、第２の曲面７７は、第１の軸線Ｔ１に垂直に切断した断面で断面の図心を中心として円弧を構成する円弧構成曲面である。
【００６５】
ただし、本実施形態では第１の実施形態と異なり、第１の曲面７５が第２の軸線Ｔ２方向に平行ではない。図１７に示すように、つまみ本体部７１では、つまみ軸線Ｓ方向についてアーム部３５と反対側から視て、第２の軸線Ｔ２方向について第１の曲面７５の中央を通る直線Ｖが、第１の軸線Ｔ１に対して角度ξだけ傾斜している。第２の軸線Ｔ２方向について第１の曲面７５の中央を通る直線Ｖは、第１の軸線Ｔ１方向についてつまみ軸線Ｓより小寸法側の位置では、第１の軸線Ｔ１より図１５の矢印Ｊの方向に位置する。また、直線Ｖは、第１の軸線Ｔ１方向についてつまみ軸線Ｓより大寸法側の位置では、第１の軸線Ｔ１より図１５の矢印Ｊと反対方向に位置する。ここで、矢印Ｊの方向は、第２の軸線Ｔ２方向で、かつ、つまみ本体部７１を握持した際に第１の軸線Ｔ１に対して人差指６０Ｂが位置する方向（第１の軸線Ｔ１に対して親指６０Ａが位置する方向と反対方向）である。なお、角度ξは、２°〜５°であることが好ましく、７°程度であることがより好ましい。
【００６６】
図１９に示すように、第１の軸線Ｔ１方向についてつまみ軸線Ｓの位置で第１の軸線Ｔ１に垂直に切断した断面では、第１の曲面７５は第２の軸線Ｔ２に平行な線分を構成する。ただし、前述のように第１の曲面７５は第２の軸線Ｔ２に平行ではなく、第２の軸線Ｔ２方向について第１の曲面７５の中央を通る直線Ｖは、第１の軸線Ｔ１に対して傾斜している。このため、図１８に示すように、第１の軸線Ｔ１方向についてつまみ軸線Ｓと小寸法側の端部との中間位置で第１の軸線Ｔ１に垂直に切断した断面では、第１の曲面７５により構成される線分は、第２の軸線Ｔ２に平行ではない。図１８の断面で第１の曲面７５により構成される線分では、第２の軸線Ｔ２方向について図１５の矢印Ｊ方向に位置する部位が、図１５の矢印Ｊと反対方向に位置する部位よりつまみ軸線Ｓ方向についてアーム部３５側に位置する。このため図１８の断面では、断面の図心Ｏ´２を通り第１の曲面７５により構成される線分に垂直な直線Ｗ１が、つまみ軸線Ｓに対して角度π１だけ傾いている。第１の曲面７５が構成する線分では、直線Ｗ１はつまみ軸線Ｓより図１５の矢印Ｊ方向側の部位を通る。ここで、角度π１は５°程度であることが好ましい。
【００６７】
また、図２０に示すように、第１の軸線Ｔ１方向についてつまみ軸線Ｓと大寸法側の端部との中間位置で第１の軸線Ｔ１に垂直に切断した断面では、第１の曲面７５により構成される線分は、第２の軸線Ｔ２に平行ではない。図２０の断面で第１の曲面７５により構成される線分では、第２の軸線Ｔ２方向について図１５の矢印Ｊと反対方向に位置する部位が、図１５の矢印Ｊ方向に位置する部位よりつまみ軸線Ｓ方向についてアーム部３５側に位置する。このため図２０の断面では、断面の図心Ｏ´３を通り第１の曲面７５により構成される線分に垂直な直線Ｗ２が、つまみ軸線Ｓに対して角度π２だけ傾いている。第１の曲面７５が構成する線分では、直線Ｗ２はつまみ軸線Ｓより図１５の矢印Ｊと反対方向側の部位を通る。ここで、角度π２は７°程度であることが好ましい。
【００６８】
すなわち、第１の軸線Ｔ１方向についてつまみ軸線Ｓより小寸法側の部位で第１の軸線Ｔ１に垂直に切断した断面では、第１の曲面７５により構成される線分の第２の軸線Ｔ２方向について図１５の矢印Ｊ方向に位置する部位が、図１５の矢印Ｊと反対方向に位置する部位よりつまみ軸線Ｓ方向についてアーム部３５側に位置する。逆に、第１の軸線Ｔ１方向についてつまみ軸線Ｓより大寸法側の部位で第１の軸線Ｔ１に垂直に切断した断面では、第１の曲面７５により構成される線分の第２の軸線Ｔ２方向について図１５の矢印Ｊと反対方向に位置する部位が、図１５の矢印Ｊ方向に位置する部位よりつまみ軸線Ｓ方向についてアーム部３５側に位置する。このような構成にすることにより、つまみ本体部７１を握持する際に、第１の曲面７５が指及び掌がより密着する形状に形成される。これにより、指及び掌が第１の曲面７５にフィットし、より滑り難くなる。したがって、釣り人はより確実につまみ本体部７１を握持することができる。
【００６９】
（変形例）  
第１の実施形態では第１の曲面５５が第２の軸線Ｔ２に平行な場合、第２の実施形態では第１の曲面７５が第２の軸線Ｔ２に平行でない場合について説明したが、本発明では、つまみ本体部５１，７１が、つまみ軸線Ｓ方向についてアーム部３５と反対側の外周面に、つまみ軸線Ｓから第１の軸線Ｔ１方向について両方向に所定の範囲に渡って、第１の軸線Ｔ１に垂直に切断した断面で線分を構成する第１の曲面５５，７５である線分構成曲面を備えればよい。
【００７０】
以上、本発明の実施形態について説明したが、本発明は上記の実施形態に限定されるものではなく、本発明の要旨を逸脱しない範囲で種々の変形ができることは勿論である。
【符号の説明】
【００７１】
１…魚釣り用リール、２…リール本体、３…ハンドル本体、３５…アーム部、４０，７０…つまみ部、５１，７１…つまみ本体部、５２Ａ…小寸法側部、５２Ｂ…大寸法側部、５３…つまみ連結部、５５，７５…第１の曲面、Ｓ…つまみ軸線、Ｔ１…第１の軸線、Ｔ２…第２の軸線。
【図１】
2011229458.tif 000003
【図２】
2011229458.tif 000004
【図３】
2011229458.tif 000005
【図４】
2011229458.tif 000006
【図５】
2011229458.tif 000007
【図６】
2011229458.tif 000008
【図７】
2011229458.tif 000009
【図８】
2011229458.tif 000010
【図９】
2011229458.tif 000011
【図１０】
2011229458.tif 000012
【図１１】
2011229458.tif 000013
【図１２】
2011229458.tif 000014
【図１３】
2011229458.tif 000015
【図１４】
2011229458.tif 000016
【図１５】
2011229458.tif 000017
【図１６】
2011229458.tif 000018
【図１７】
2011229458.tif 000019
【図１８】
2011229458.tif 000020
【図１９】
2011229458.tif 000021
【図２０】
2011229458.tif 000022